(57)【要約】      （修正有）【課題】スチール製ドアのドア枠にドア用シール部材を嵌入させるポケットをなくしてドア枠の製作を容易にして製作の時間とコストを低減させるとともに、ドアとドア枠の密着性を向上させることができるドア用シール部材を提供する。【解決手段】スチール製ドアのドア枠に取り付ける帯状のドア用シール部材において、ドア枠Ｆに固定する固定片２と、スチール製ドアＤに磁着してシールする磁着シール片が間隔を開けて平行に一体に形成され、固定片２は半硬質樹脂からなるとともに、ドア枠側の表面にはドア枠Ｆに貼着するための貼着層が形成され、磁着シール片は軟質樹脂からなるとともにスチール製ドア側の表面にスチール製ドアＤに磁着する磁着面７が形成されているドア用シール部材１である。【選択図】図２
0003197842.tif 000002
【実用新案登録請求の範囲】
【請求項１】
スチール製ドアのドア枠に取り付ける帯状のドア用シール部材において、
ドア枠に固定する固定片と、スチール製ドアに磁着してシールする磁着シール片が間隔を開けて平行に一体に形成され、
前記固定片は半硬質樹脂からなるとともに、ドア枠側の表面にはドア枠に貼着するための貼着層が形成され、
前記磁着シール片は軟質樹脂からなるとともに、前記スチール製ドア側の表面に前記スチール製ドアに磁着する磁着面が形成されていることを特徴とするドア用シール部材。
【請求項２】
前記磁着シール片の磁着面が軟質樹脂片に磁石粉を混入した軟質のゴム磁石片が積層されて形成されていることを特徴とする請求項１に記載のドア用シール部材。
【考案の詳細な説明】
【技術分野】
【０００１】
本考案は、ドアを閉めた際にドアの回りとドア枠の間をシールするため、ドア枠に取り付けるドア用シール部材に関する。
【背景技術】
【０００２】
ドアとドア枠との間の密閉性を高めるためにドアとドア枠の間にドア用シール部材を介在させることが行われている。その場合、ドア枠にシール部材を取り付けるためにポケット又は溝を設けるドア枠と、ゴムポケットを必要としないポケットレス枠がある。
【０００３】
例えば、特許文献１には、図４〜６に示すように、ヒンジ取付けされたドアのドア枠との間に確実にシールを形成するため、ゴムポケットを設けるドア枠が開示されている。引用文献１において、四角形のフレームからなるドア枠には、ヒンジ部材によって、ドアが開閉自在に取付けられている。
【０００４】
特許文献１のドア枠には、図４〜６に示すようにドア枠Ｆの全周にドアＤが閉められた時に、ドアＤの表面の周縁部（当接面）が対向する部分には、ゴム製のパッキング１０の取付け部となる溝（ゴムポケット）１１が形成されており、この溝１１は、ドア枠Ｆの全周にわたって形成されている。この溝１１にパッキング１０を嵌入させることによって取付けられる。
【０００５】
この溝１１に取付けられるゴムパッキン１０は、図４に示すように、基端側に設けられた、溝１１に保持される基部１２と、先端側に設けられドアの当接面と密封的に接触する細長い接触面１４を備えた当接部１３と、これらの基部１２と当接部１３とを接続する接続部１５とを備えた、ゴムなどの弾性を有する可撓性材料で一体成形された細長い管状部材よりなる。ドアＤに接触する当接部１３の内部にはドアに吸着される磁性部材１６が挿入されている。
【０００６】
図５に示すように、ドアＤを矢印で示す閉じ方向に回動させていくと、完全に閉じる直前には、ドアＤの吊元側の角部が、パッキング１０と接触する。このとき、パッキング１０は、接触面１４がドアの内方に向かって低くなるように傾斜しているので、ドアＤの角部は、当接部１３の側面にぶつかることなく接触面１４にぶつかる。
【０００７】
ドアＤが更に回動すると、図６に示すように、接触面１４の全面が、ドアＤの角部に隣接する領域と接触する。このとき、当接部１３の内部の磁性部材１６がスチール製のドアＤを吸着するので、接触面１４はドアＤの表面に完全に密着させられ、ドアＤとドア枠Ｆとの間には、密封シールが形成される。
【０００８】
また、特許文献２には、ドアと戸当たりとの取合い部の大きさによらず高い密閉性および剥離耐久性を奏することができて、また閉止状態のドアにも取り付け可能で施工性にも優れるドア用シール部材、およびこれを用いたドアとドア枠とのシール構造が開示されている。
【０００９】
このシール構造のドア用シール部材は、ドア枠の戸当たりに貼着される半硬質ゴム若しくはプラスチックからなる平板状支持部と、この支持部の一端縁に沿って一体的に設けられ、ドアに当接して弾性変形する横断面Ｐ字状の筒状のシール部とから構成され、ドア用シール部材を、その支持部が戸当たりの内周面に沿って貼着されるとともに、シール部は支持部よりも内方に突出してドアに当接するように配置される。
【先行技術文献】
【特許文献】
【００１０】
【特許文献１】特開２００２−３５７０６１号公報
【特許文献２】特開２００２−１５５６７７号公報
【考案の概要】
【考案が解決しようとする課題】
【００１１】
ドア枠には、特許文献１にみられるように、シール部材を嵌入させるポケット又は溝が設けられるのが普通であるが、スチール製のドア枠では、金属板を折曲加工しなければならないから、枠体を製作するにも時間とコストが掛かるという欠点があった
【００１２】
さらに、従来のシール材は、ドアとドア枠の間で押しつぶすため損傷を受け易いという欠点があった。
【００１３】
そこで、本考案は、スチール製ドアのドア枠にドア用シール部材を嵌入させるポケットをなくしてドア枠の製作を容易にして製作の時間とコストを低減させるとともに、シール部材を押しつぶすことなくドアとドア枠の密着性を向上させることができるドア用シール部材を提供するものである。
【課題を解決するための手段】
【００１４】
本願請求項１の考案は、スチール製ドアのドア枠に取り付ける帯状のドア用シール部材において、ドア枠に固定する固定片と、スチール製ドアに磁着してシールする磁着シール片が間隔を開けて平行に一体に形成され、前記固定片は半硬質樹脂からなるとともにドア枠側の表面にはドア枠に貼着するための貼着層が形成され、前記磁着シール片は軟質樹脂片からなるとともに、前記スチール製ドア側の表面に前記スチール製ドアに磁着する磁着面が形成されていることを特徴とするドア用シール部材である。
【００１５】
本願請求項２の考案は、前記磁着シール片の磁着面が軟質樹脂片に磁石粉を混入した軟質のゴム磁石片が積層されて形成されていることを特徴とする請求項１に記載のドア用シール部材である。
【考案の効果】
【００１６】
本考案のドア用シール部材は、離型紙を剥離してドア枠の戸当り面に貼着するだけでよいから、取付作業が簡単になり、その上、ポケットを取り付けるポケットを成型加工する必要がないので、ドア枠の製作が簡単でコストの低減が可能となる。
【００１７】
さらに、ドア用シール部材が磁石によりスチール製のドアに磁着するので、確実なシールを行うことができる。
【図面の簡単な説明】
【００１８】
【図１】本考案のドア用シール部材の斜視図である。
【図２】本考案のドア用シール部材をドア枠に取り付けた状態を示す縦断面図である。
【図３】本考案のドア用シール部材をドア枠に取り付けた状態を示す横断面図である。
【図４】特許文献１に示すドア用シール部材の斜視図である。
【図５】特許文献１のドア用シール部材をドア枠に取り付けた状態を示す図である。
【図６】図５に示すドア枠にドアを閉めた状態を示す図である。
【考案を実施するための形態】
【００１９】
図１〜３において、本考案のドア用シール部材１は帯状（例えば、幅約１２ｍｍ）で長尺に形成され、ドア枠Ｆに固定する固定片２（例えば、厚み約０．８ｍｍ）と、スチール製ドアＤに磁着してシールする磁着シール片３（例えば、厚み約０．８ｍｍ）が間隔（例えば、約０．８ｍｍ）を開けて平行に一体に形成されている。
【００２０】
固定片２は、半硬質樹脂からなり、その表面にはドア枠Ｆに貼着するための貼着層４が形成されている。貼着層４は剥離紙５で覆われ、ドア枠Ｆに貼着する時には剥離紙５を剥ぎ、貼着層４をドア枠Ｆに押し付けて貼着する。
【００２１】
磁着シール片３は、軟質樹脂片６と、その表面にスチール製ドアＤに磁着する磁着面７を有する。本実施例では、磁着面７は磁石粉を混入した軟質のゴム磁石片７を軟質樹脂片６に貼りつけて形成する。
【００２２】
なお、軟質樹脂片６には、ドア用シール部材１が戸当たりの直角部分に合致して安定して保持されるように軟質樹脂片６に直角に保持片８を突出させてＴ字状に形成しても良い。
【００２３】
以上の構成からなる本考案のドア用シール部材１は、図２，３に示すように、剥離紙を剥いでドア枠Ｆの周囲の戸当たりに磁着シール片３がドアＤ側に向くように貼着する。なお、ドア枠Ｆの下側の沓摺り枠には、固定片２と磁着シール片３との隙間にゴミが入らないように隙間の開口が下側になるようにドア用シール部材１を取り付ける。本考案のドア用シール部材１は、ドア枠Ｆにポケットを設けることなく戸当たりに簡単に取り付けることができる。
【００２４】
図２，３に示すように、ドア用シール部材１がドア枠Ｆに取り付けられた状態で、ドアＤを閉めると、ドアＤに磁着シール片３が磁着して確実にシールされる。
【符号の説明】
【００２５】
１：ドア用シール部材
２：固定片
３：磁着シール片
４：貼着層
５：剥離紙
６：軟質樹脂片
７：磁着面（ゴム磁石片）
８：保持片
１０：パッキング
１１：ゴムポケット（溝）
１２：基部
１３：当接部
１４：接触面
１５：接続部
１６：磁性部材
Ｄ：スチール製ドア
Ｆ：ドア枠
【図１】
0003197842.tif 000003
【図２】
0003197842.tif 000004
【図３】
0003197842.tif 000005
【図４】
0003197842.tif 000006
【図５】
0003197842.tif 000007
【図６】
0003197842.tif 000008